(57)【要約】【課題】  おもちゃ本体が小さく、広い設置場所を必要としないとともに、人形等の装飾品が回動しながら大きく上下動するメリーゴーランドおもちゃを提供することにある。【解決手段】  吊り下げ体１０と、上面に複数本のアーム５０を回動軸心を中心として放射状に側方に突出するように配置し、かつ、前記吊り下げ体１０の下面に回動可能に吊り下げられた回動体４０と、からなる。そして、前記回動体１０が回動するにつれて前記アーム５０が一体に回動するとともに、前記アーム５０の先端部が上下方向に回動することにより、前記アーム５０の先端部に吊り下げた装飾品が回動しつつ、上下動する。【選択図】図８
0003108075.tif 000002
【実用新案登録請求の範囲】
【請求項１】
おもちゃ本体が、吊り下げ体と、上面に複数本のアームを回動軸心を中心として放射状に側方に突出するように配置し、かつ、前記吊り下げ体の下面に回動可能に吊り下げられた回動体と、からなり、
前記回動体が回動するにつれて前記アームが一体に回動するとともに、前記アームの先端部が上下方向に回動することにより、前記アームの先端部に吊り下げた装飾品が回動しつつ、上下動することを特徴とするメリーゴーランドおもちゃ。
【請求項２】
おもちゃ本体が、吊り下げ体と、上面に複数本のアームを回動軸心を中心として放射状に側方に突出するように配置し、かつ、前記吊り下げ体の下面に回動可能に吊り下げられた回動体と、からなるメリーゴーランドおもちゃにおいて、
前記吊り下げ体が、上面に組み付けた駆動ユニットのジョイント部を下面から下方側に突出させた駆動ユニット取付板と、前記駆動ユニット取付板の下面に固定され、かつ、前記ジョイント部の周囲に環状頂部を配置したカムと、前記駆動ユニット取付板の下面の外周縁部に固定された吊り下げリングと、からなる一方、
前記回動体が、上面中央部に前記ジョイント部に嵌合するジョイント受け部を突設した回動板と、前記回動板の上面に回動軸心を中心として放射状に配置され、かつ、上下方向に回動可能にヒンジ支持された複数本のアームと、内周縁部を前記回動板の上面に固定され、かつ、外周縁部を前記吊り下げリングの上面の内周縁部に摺動可能に係合した回動フランジと、からなり、
前記駆動ユニットのジョイント部に嵌合するジョイント受け部を介して前記回動板を回動し、前記アームを一体に回動するとともに、前記アームの一端部を前記カムの環状頂部に沿って移動させ、前記アームの先端部を上下方向に回動することにより、前記アームの先端部に吊り下げた装飾品が回動しつつ、上下動することを特徴とするメリーゴーランドおもちゃ。
【請求項３】
アームの一端部の近傍に一対の支軸を同一軸心上に突設し、前記支軸を介して回動板の上面にヒンジ支持したことを特徴とする請求項２に記載のメリーゴーランドおもちゃ。
【請求項４】
吊り下げリングと回動フランジとの対向面間に、複数個のボールベアリングを配置したことを特徴とする請求項２または３に記載のメリーゴーランドおもちゃ。
【請求項５】
アームの一端部に、カムの環状頂部に圧接するスリーブを回動自在に嵌合したことを特徴とする請求項２ないし４のいずれか１項に記載のメリーゴーランドおもちゃ。
【請求項６】
取付台に立設した略Ｊ字形支柱の先端部に、吊り下げ体を取り付けたことを特徴とする請求項１ないし５のいずれか１項に記載のメリーゴーランドおもちゃ。
【考案の詳細な説明】
【技術分野】
【０００１】
本考案はメリーゴーランドおもちゃ、特に、人形等の装飾品が回動しながら上下動するメリーゴーランドおもちゃに関する。
【背景技術】
【０００２】
従来、吊り下げ型のメリーゴーランドおもちゃは、曲玉の下端に取り付けたフックに複数本のアームを吊り下げるとともに、前記アームの先端に人形等を吊り下げることにより、前記曲玉がメロディーを流しつつ、前記アームを回動させるものである。しかし、前記人形等が単に回動するだけでは変化が少なく、乳幼児等にとっておもしろみが少なかった。
【０００３】
このため、回動させながら上下動させるメリーゴーランドおもちゃとして、据え置き型のものが提案されている（特許文献１参照）。
【特許文献１】実用新案登録第３０４９２０６号公報
【考案の開示】
【考案が解決しようとする課題】
【０００４】
しかしながら、前述の据え置き型のメリーゴーランドおもちゃでは、回動半径を大きくすると、広い設置場所が必要となる一方、大きな上下動作を確保しようとすると、背の高いカム機構が必要となり、おもちゃ本体が大型化するという問題点がある。
【０００５】
本考案は、前記問題点に鑑み、おもちゃ本体が小さく、広い設置場所を必要としないとともに、人形等の装飾品が回動しながら大きく上下動するメリーゴーランドおもちゃを提供することを課題とする。
【課題を解決するための手段および考案の効果】
【０００６】
本考案にかかるメリーゴーランドおもちゃは、前記課題を解決すべく、おもちゃ本体が、吊り下げ体と、上面に複数本のアームを回動軸心を中心として放射状に側方に突出するように配置し、かつ、前記吊り下げ体の下面に回動可能に吊り下げられた回動体と、からなり、
前記回動体が回動するにつれて前記アームが一体に回動するとともに、前記アームの先端部が上下方向に回動することにより、前記アームの先端部に吊り下げた装飾品が回動しつつ、上下動する構成としてある。
【０００７】
他の考案としては、おもちゃ本体が、吊り下げ体と、上面に複数本のアームを回動軸心を中心として放射状に側方に突出するように配置し、かつ、前記吊り下げ体の下面に回動可能に吊り下げられた回動体と、からなるメリーゴーランドおもちゃにおいて、
前記吊り下げ体が、上面に組み付けた駆動ユニットのジョイント部を下面から下方側に突出させた駆動ユニット取付板と、前記駆動ユニット取付板の下面に固定され、かつ、前記ジョイント部の周囲に環状頂部を配置したカムと、前記駆動ユニット取付板の下面の外周縁部に固定された吊り下げリングと、からなる一方、
前記回動体が、上面中央部に前記ジョイント部に嵌合するジョイント受け部を突設した回動板と、前記回動板の上面に回動軸心を中心として放射状に配置され、かつ、上下方向に回動可能にヒンジ支持された複数本のアームと、内周縁部を前記回動板の上面に固定され、かつ、外周縁部を前記吊り下げリングの上面の内周縁部に摺動可能に係合した回動フランジと、からなり、
前記駆動ユニットのジョイント部に嵌合するジョイント受け部を介して前記回動板を回動し、前記アームを一体に回動するとともに、前記アームの一端部を前記カムの環状頂部に沿って移動させ、前記アームの先端部を上下方向に回動することにより、前記アームの先端部に吊り下げた装飾品が回動しつつ、上下動する構成としてある。
【０００８】
本考案によれば、回動体の回動につれてアームが上下方向に回動するので、アームに吊り下げた装飾品が回動しながら上下動し、これまでになかった目新しい動作を行うメリーゴーランドおもちゃが得られる。
また、おもちゃ本体の回動体から側方に突出するアームに装飾品が吊り下げられるので、おもちゃ本体を大きくすることなく回動半径を大きくできることから、広い設置場所を必要とせず、回動半径が大きいメリーゴーランドおもちゃが得られる。
【０００９】
本考案にかかる実施形態としては、アームの一端部の近傍に一対の支軸を同一軸心上に突設し、前記支軸を介して回動板の上面にヒンジ支持しておいてもよい。
本実施形態によれば、アームが一端部の近傍に設けた支軸を支点に回動するので、てこの原理で上下方向の回動動作が大きいメリーゴーランドおもちゃが得られる。
【００１０】
本考案にかかる他の実施形態としては、吊り下げリングと回動フランジとの対向面間に、複数個のボールベアリングを配置してもよい。
本実施形態によれば、吊り下げリングと回動フランジとの摩擦が小さくなり、回動体の回動動作がより一層円滑になる。
【００１１】
本考案にかかる別の実施形態としては、アームの一端部に、カムの環状頂部に圧接するスリーブを回動自在に嵌合してもよい。
本実施形態によれば、アームとカムとの摩擦が小さくなり、アームが回動動作がより一層円滑になる。
【００１２】
本考案にかかる異なる実施形態としては、取付台に立設した略Ｊ字形支柱の先端部に、吊り下げ体を取り付けておいてもよい。
本実施形態によれば、前記取付台を介してベビーベッドの手すり等に取り付けることにより、より便利になるという効果がある。
【考案を実施するための最良の形態】
【００１３】
本考案にかかるメリーゴーランドおもちゃの実施形態を図１ないし図９の添付図面に従って説明する。
本実施形態は、図１に示すように、図示しないベッドの手すりに取り付けた取付台１に略Ｊ字形状の支柱２を立設し、前記支柱２の先端に連結具３を介しておもちゃ本体４を取り付けてある。前記おもちゃ本体４は、吊り下げ体１０の下端面に、４本のアーム５０を備えた回動体４０を回動可能に取り付けたものである。そして、前記アーム５０の先端部にはぬいぐるみ等の装飾品５がそれぞれ吊り下げられている。
【００１４】
前記吊り下げ体１０は、図２および図３に示すように、駆動ユニット取付板１１と、駆動ユニット２０と、カム２６と、一対のカバー３０，３３と、吊り下げリング３５とから構成されている。前記駆動ユニット取付板１１は、中心孔１２の周囲に駆動ユニット用支持突部１３を突設するとともに、上面外周縁部に不連続な係合用リブ１４を設けてある。
【００１５】
駆動ユニット２０は、モータ２１の回転力をベルト２２およびウォームギヤ２３を介して平面略正方形のジョイント部２４（図５）に伝え、回動させるものである。
【００１６】
カム２６は、図６に示すように、その中央部に中心孔２７を設けてあるとともに、外周縁部に対向する２つの山および谷からなる滑らかな連続する環状頂部２８を形成してあり、前記駆動ユニット取付板１１の下面に同一軸心上に固定される。
【００１７】
一対のカバー３０，３３は４分割した球殻形状を有し、斜め上方部に連結部３１，３２をそれぞれ突設してあるとともに、その内周面の下方縁部に、前記駆動ユニット取付板１１の係合用リブ１４に係合する係合用突条３２，３４をそれぞれ設けてある。
【００１８】
吊り下げリング３５は、図４に示すように、後述する回動板４１に嵌合可能な平面形状を有し、その上面の外周縁部に形成した環状リブ３６の内側隅部に、駆動ユニット取付板用支持突部３７を均等に配置してあるとともに、その上面の内周縁部の近傍に、均等のピッチで設けた凹部に４個のボールベアリング３８をそれぞれ配置してある。
【００１９】
回動体４０は、図２および図４に示すように、花弁を模した回動板４１と、４本のアーム５０と、回動フランジ６０とからなるものである。そして、前記回動板４１は、その上面の中央部にジョイント受け部４２を突設してあるとともに、前記ジョイント受け部４２の軸心を中心とする環状壁４３を設けてある。前記環状壁４３には切り欠き部４４が均等のピッチで形成されているとともに、前記環状壁４３の内側隅部には前記切り欠き部４４を間にして対向するアーム用支持突部４５が突設されている。また、前記ジョイント受け部４２を間にして対向するように回動フランジ用支持突部４６が前記回動板４１の上面に突設されている。さらに、前記回動板４１の下面には化粧板４７が組み付けられている。
【００２０】
前記アーム５０は、図７に示すように、その基端部５１にスリーブ５２を回動可能に取り付けてあるとともに、その基端部５１の近傍に一対の回動軸５３，５３を同一軸心上に突設してある。前記回動軸５３は前記回動板４１の上面に突設した一対の前記支持突部４５間にヒンジ支持される。そして、前記アーム５０は、その先端部にぬいぐるみ等の装飾品５を吊り下げられる吊り下げ孔５４を設けてある。
【００２１】
回動フランジ６０は、前記吊り下げリング３５に嵌合可能な外周形状を有し、内周縁部に形成した環状段部６１を回動フランジ用支持突部４７にネジ止め可能としてある一方、外周縁部に形成した環状リブ６２を前記ボールベアリング３８に当接可能としてある。
【００２２】
前述の構成部品からなるメリーゴーランドおもちゃの組立手順について説明する。
回動板４１の下面に化粧板４７を固定する。そして、一端部５１にスリーブ５２を嵌合したアーム５０の支軸５３を、前記回動板４１のアーム用支持突部４５，４５の間に回動可能にヒンジ支持するとともに、前記アーム用支持突部４５に抜け止め具５５ネジ止めしてアーム５０の脱落を防止する。
【００２３】
ついで、４個のボールベアリング３８を位置決めした吊り下げリング３５を、前記回動板４１の環状壁４３内に嵌合した後、回動フランジ６０を前記回動板４１の回動フランジ用支持突部４６にネジ止めする。これによって前記吊り下げリング３５と回動フランジ６０とが４個のボールベアリング３８を介して回動自在に一体化される。
【００２４】
一方、ユニット取付板１１の下面中央にカム２６を同一軸心上に固定するとともに、駆動ユニット用支持突部１３に駆動ユニット２０の取付舌片２５をそれぞれネジ止めする。ついで、前記駆動ユニット２０のジョイント部２４を回動板４１のジョイント受け部４２に嵌合して位置決めするとともに、前記吊り下げリング３５の駆動ユニット取付板用支持突部３７に前記駆動ユニット取付板１１をネジ止めする。
【００２５】
前記ユニット取付板１１の外周縁部に設けた係合用リブ３２に、一対のカバー３０，３３の突条３２，３５を係合するとともに、一対のカバー３０，３３を相互に突き合わせてネジ止めすることにより、メリーゴーランドおもちゃ本体４が完成する。そして、支柱２の先端部に取り付けた連結具３を前記カバー３０，３３の連結部３１，３４に螺合することにより、前記おもちゃ本体４を支柱２に固定する。ついで、前記アーム５０の取付孔５４を介してぬいぐるみ等の装飾品５を吊り下げることにより、組立が完了する。
【００２６】
したがって、前記取付台１のスイッチをオンすると、吊り下げ体１０が内蔵する駆動ユニット２０のモータ２１に電流が流れ、モータ２１が回転することにより、ベルト２２を介してウォームギヤ２３が回動し、ジョイント部２４が回動する。このため、前記ジョイント部２４が嵌合したジョイント受け部４６と一体な回動板４１が回動することにより、アーム５０のスリーブ５２がカム２６の環状頂部２８に沿って移動する。この結果、てこの原理により、前記アーム５０は支軸５３を中心として大きく上下動しながら回動する。したがって、前記アーム５０の先端部に吊り下げたぬいぐるみ等の装飾品５が上下動しながら周回運動するので、これまで従来になかった新しい動作を行うメリーゴーランドおもちゃが得られる。
【００２７】
本実施形態では、てこの原理でアーム５０が上下に回動するので、おもちゃ本体４の外形寸法を大きくすることなく、大きな上下動作が得られるという利点がある。
【００２８】
本実施形態では、４本のアーム５０を上下動させながら回動させるものであるが、アームの本数やカムの山数は必要に応じて適宜選択できる。特に、カムの頂部を滑らかに変化させてあるとともに、アームの一端部にスリーブを嵌合してあるので、動作音が静かなメリーゴーランドおもちゃが得られる。また、カムの頂部を、いわゆる鋸歯状とすることにより、アームの先端部がカクッと上下動するように動作させてもよい。
【００２９】
前述の実施形態では、吊り下げリングと回動作フランジとの間に４個のボールベアリングを配置してあるので、摩擦抵抗が小さく、小さなトルクで回動体を回動させることができるという利点がある。
【産業上の利用可能性】
【００３０】
本考案にかかるメリーゴーランドおもちゃは、前記おもちゃ本体をヒモに吊り下げて使用してよい。
【図面の簡単な説明】
【００３１】
【図１】本考案にかかるメリーゴーランドおもちゃの使用状態を示す斜視図である。
【図２】図１に示した実施形態の分解斜視図である。
【図３】図２で示した実施形態の上半分の部分拡大斜視図である。
【図４】図２で示した実施形態の下半分の部分拡大斜視図である。
【図５】図５Ａ，５Ｂは図２で示したジョイント部の断面図，底面図である。
【図６】図２で示したカムの斜視図である。
【図７】図７Ａ，７Ｂは図２で示した吊り下げアームの平面図，断面図である。
【図８】図１で示した実施形態の部分断面図である。
【図９】図１で示した実施形態の要部断面図である。
【符号の説明】
【００３２】
１：取付台
２：支柱
３：連結具
４：おもちゃ本体
５：装飾品
１０：吊り下げ体
１１：駆動ユニット取付板
１２：中心孔
１３：駆動ユニット用支持突部
１４：係合用リブ
２０：駆動ユニット
２１：モータ
２２：ベルト
２３：ウォームギャ
２４：ジョイント部
２６：カム
２８：環状頂部
３０，３３：カバー
３１，３４：連結部
３２：係合用突条
３５：吊り下げリング
３６：環状リブ
３７：駆動ユニット取付板用支持突部
３８：ボールベアリング
４０：回動体
４１：回動板
４２：ジョイント受け部
４３：環状壁
４４：切り欠き部
４５：アーム用支持突部
４６：回動フランジ用支持突部
４７：化粧板
５０：アーム
５１：一端部
５２：スリーブ
５３：回動軸
５４：吊り下げ孔
６０：回動フランジ
６１：環状段部
６２：環状リブ
【図２】
0003108075.tif 000003
【図３】
0003108075.tif 000004
【図４】
0003108075.tif 000005
【図５】
0003108075.tif 000006
【図６】
0003108075.tif 000007
【図７】
0003108075.tif 000008
【図８】
0003108075.tif 000009
【図９】
0003108075.tif 000010
【図１】
0003108075.tif 000011